(57)【特許請求の範囲】
【請求項１】
非常用電源設備の充電池から電力供給を受ける複数の通信制御サーバの中から前記電力供給を停止すべき通信制御サーバを選択する電源管理装置であって、
前記充電池の残電力量を監視する監視部と、
前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択する選択部と
を備えることを特徴とする電源管理装置。
【請求項２】
非常用電源設備の充電池から電力供給を受ける複数の通信制御サーバの中から前記電力供給を停止すべき通信制御サーバを選択する電源管理装置であって、
前記通信制御サーバを介して提供されるサービスのグレード毎に当該グレードに対応する通信制御サーバのリストおよび当該グレードに適用すべき閾値を含むグレード情報を記憶するグレード情報記憶部と、
前記充電池の残電力量を監視する監視部と、
前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択する選択部と
を備えることを特徴とする電源管理装置。
【請求項３】
前記グレード情報記憶部の少なくとも１つのグレード情報は、第１の閾値、ならびに、前記第１の閾値より高い第２の閾値を含み、
前記選択部は、
前記検索したグレード情報に第１の閾値と第２の閾値が含まれるなら、前記設定電力量より低く予め定められた第２の設定電力量より前記残電力量が高いか否かを判定し、前記残電力量が前記第２の設定電力量より高いなら、当該グレード情報から第１の閾値を読み出す一方、前記残電力量が前記第２の設定電力量以下なら、当該グレード情報から第２の閾値を読み出し、該当の指標値が当該読み出した閾値以下なら、前記電力供給を停止すべき通信制御サーバとして該当の通信制御サーバを選択する
ことを特徴とする請求項２記載の電源管理装置。
【請求項４】
非常用電源設備および前記非常用電源設備の充電池から電力供給を受ける複数の通信制御サーバの中から前記電力供給を停止すべき通信制御サーバを選択する電源管理装置を備える電力供給システムであって、
前記電源管理装置は、
前記充電池の残電力量を監視する監視部と、
前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択する選択部と
を備えることを特徴とする電力供給システム。
【請求項５】
非常用電源設備および前記非常用電源設備の充電池から電力供給を受ける複数の通信制御サーバの中から前記電力供給を停止すべき通信制御サーバを選択する電源管理装置を備える電力供給システムであって、
前記電源管理装置は、
前記通信制御サーバを介して提供されるサービスのグレード毎に当該グレードに対応する通信制御サーバのリストおよび当該グレードに適用すべき閾値を含むグレード情報を記憶するグレード情報記憶部と、
前記充電池の残電力量を監視する監視部と、
前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択する選択部と
を備えることを特徴とする電力供給システム。
【請求項６】
非常用電源設備の充電池から電力供給を受ける複数の通信制御サーバの中から前記電力供給を停止すべき通信制御サーバを選択する電源管理装置の動作方法であって、
前記電源管理装置が、前記充電池の残電力量を監視し、
前記電源管理装置が、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択する
ことを特徴とする電源管理装置の動作方法。
【請求項７】
非常用電源設備の充電池から電力供給を受ける複数の通信制御サーバの中から前記電力供給を停止すべき通信制御サーバを選択する電源管理装置の動作方法であって、
前記電源管理装置は、
前記通信制御サーバを介して提供されるサービスのグレード毎に当該グレードに対応する通信制御サーバのリストおよび当該グレードに適用すべき閾値を含むグレード情報を記憶するグレード情報記憶部を備え、
前記動作方法は、
前記電源管理装置が、前記充電池の残電力量を監視し、
前記電源管理装置が、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択する
ことを特徴とする電源管理装置の動作方法。
【発明の詳細な説明】
【技術分野】
【０００１】
本発明は、非常用電源設備から電力供給を受ける複数の通信制御サーバから電力供給を停止すべき通信制御サーバを選択する技術に関する。
【背景技術】
【０００２】
通信システムにおいては、停電などで商用電源が使用不可となっても、非常用電源設備の充電池や発電機から通信制御サーバに電力供給を行い、これにより、通信制御サーバの機能低下や機能停止を防止する。
【０００３】
ところが、大規模災害などが発生し、非常用電源設備からの電力供給が長引くと、例えば、充電池を使用している場合、その残電力量が低下し、多くの通信制御サーバが機能低下や機能停止するという問題がある。
【０００４】
この問題への対応としては、例えば保守者が一部の通信制御サーバを選択して電力供給を停止し、残りの通信制御サーバにおける機能低下や機能停止を防止するというものがある。
【先行技術文献】
【特許文献】
【０００５】
【特許文献１】特開平１−７３８９４号公報
【特許文献２】特開２０１３−１４３６１８号公報
【発明の概要】
【発明が解決しようとする課題】
【０００６】
しかし、例えば、電力供給を停止した通信制御サーバに接続されて使用される端末が多いと、その多くの端末が使用できなくなる。
【０００７】
また、電力供給を停止した通信制御サーバがグレードの高いサービスである緊急通話（１１０番、１１９番など）に使用される場合、緊急通話が行えなくなる。
【０００８】
すなわち、従来においては、どの通信制御サーバを選択するかによっては問題が生じる可能性がある。
【０００９】
本発明は、上記事情に鑑み、非常用電源設備から電力供給を受ける複数の通信制御サーバから電力供給を停止すべき通信制御サーバを自動的に選択し、問題の発生を防止する技術を提供することを目的とする。
【課題を解決するための手段】
【００１０】
上記課題を解決するため、第１の本発明は、非常用電源設備の充電池から電力供給を受ける複数の通信制御サーバの中から前記電力供給を停止すべき通信制御サーバを選択する電源管理装置であって、前記充電池の残電力量を監視する監視部と、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択する選択部とを備えることを特徴とする。
【００１１】
第２の本発明は、非常用電源設備の充電池から電力供給を受ける複数の通信制御サーバの中から前記電力供給を停止すべき通信制御サーバを選択する電源管理装置であって、前記通信制御サーバを介して提供されるサービスのグレード毎に当該グレードに対応する通信制御サーバのリストを含むグレード情報を記憶するグレード情報記憶部と、前記充電池の残電力量を監視する監視部と、前記残電力量が予め定めた設定電力量以下になったなら、前記グレード情報記憶部から予め定めたグレード以下のグレードに対応するグレード情報を検索し、前記電力供給を停止すべき通信制御サーバとして当該グレード情報内のリストに含まれる通信制御サーバを選択する選択部とを備えることを特徴とする。
【００１２】
第３の本発明は、非常用電源設備の充電池から電力供給を受ける複数の通信制御サーバの中から前記電力供給を停止すべき通信制御サーバを選択する電源管理装置であって、前記通信制御サーバを介して提供されるサービスのグレード毎に当該グレードに対応する通信制御サーバのリストおよび当該グレードに適用すべき閾値を含むグレード情報を記憶するグレード情報記憶部と、前記充電池の残電力量を監視する監視部と、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択する選択部とを備えることを特徴とする。
【００１３】
例えば、第３の本発明において、前記グレード情報記憶部の少なくとも１つのグレード情報は、第１の閾値、ならびに、前記第１の閾値より高い第２の閾値を含み、前記選択部は、前記検索したグレード情報に第１の閾値と第２の閾値が含まれるなら、前記設定電力量より低く予め定められた第２の設定電力量より前記残電力量が高いか否かを判定し、前記残電力量が前記第２の設定電力量より高いなら、当該グレード情報から第１の閾値を読み出す一方、前記残電力量が前記第２の設定電力量以下なら、当該グレード情報から第２の閾値を読み出し、該当の指標値が当該読み出した閾値以下なら、前記電力供給を停止すべき通信制御サーバとして該当の通信制御サーバを選択する。
【００１４】
第４の本発明は、非常用電源設備および前記非常用電源設備の充電池から電力供給を受ける複数の通信制御サーバの中から前記電力供給を停止すべき通信制御サーバを選択する電源管理装置を備える電力供給システムであって、前記電源管理装置は、前記充電池の残電力量を監視する監視部と、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択する選択部とを備えることを特徴とする。
【００１５】
第５の本発明は、非常用電源設備および前記非常用電源設備の充電池から電力供給を受ける複数の通信制御サーバの中から前記電力供給を停止すべき通信制御サーバを選択する電源管理装置を備える電力供給システムであって、前記電源管理装置は、前記通信制御サーバを介して提供されるサービスのグレード毎に当該グレードに対応する通信制御サーバのリストを含むグレード情報を記憶するグレード情報記憶部と、前記充電池の残電力量を監視する監視部と、前記残電力量が予め定めた設定電力量以下になったなら、前記グレード情報記憶部から予め定めたグレード以下のグレードに対応するグレード情報を検索し、前記電力供給を停止すべき通信制御サーバとして当該グレード情報内のリストに含まれる通信制御サーバを選択する選択部とを備えることを特徴とする。
【００１６】
第６の本発明は、非常用電源設備および前記非常用電源設備の充電池から電力供給を受ける複数の通信制御サーバの中から前記電力供給を停止すべき通信制御サーバを選択する電源管理装置を備える電力供給システムであって、前記電源管理装置は、前記通信制御サーバを介して提供されるサービスのグレード毎に当該グレードに対応する通信制御サーバのリストおよび当該グレードに適用すべき閾値を含むグレード情報を記憶するグレード情報記憶部と、前記充電池の残電力量を監視する監視部と、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択する選択部とを備えることを特徴とする。
【００１７】
第７の本発明は、非常用電源設備の充電池から電力供給を受ける複数の通信制御サーバの中から前記電力供給を停止すべき通信制御サーバを選択する電源管理装置の動作方法であって、前記電源管理装置が、前記充電池の残電力量を監視し、前記電源管理装置が、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、当該指標値が予め定めた閾値以下なら、前記電力供給を停止すべき通信制御サーバとして当該通信制御サーバを選択することを特徴とする。
【００１８】
第８の本発明は、非常用電源設備の充電池から電力供給を受ける複数の通信制御サーバの中から前記電力供給を停止すべき通信制御サーバを選択する電源管理装置の動作方法であって、前記電源管理装置は、前記通信制御サーバを介して提供されるサービスのグレード毎に当該グレードに対応する通信制御サーバのリストを含むグレード情報を記憶するグレード情報記憶部を備え、前記動作方法は、前記電源管理装置が、前記充電池の残電力量を監視し、前記電源管理装置が、前記残電力量が予め定めた設定電力量以下になったなら、前記グレード情報記憶部から予め定めたグレード以下のグレードに対応するグレード情報を検索し、前記電力供給を停止すべき通信制御サーバとして当該グレード情報内のリストに含まれる通信制御サーバを選択することを特徴とする。
【００１９】
第９の本発明は、非常用電源設備の充電池から電力供給を受ける複数の通信制御サーバの中から前記電力供給を停止すべき通信制御サーバを選択する電源管理装置の動作方法であって、前記電源管理装置は、前記通信制御サーバを介して提供されるサービスのグレード毎に当該グレードに対応する通信制御サーバのリストおよび当該グレードに適用すべき閾値を含むグレード情報を記憶するグレード情報記憶部を備え、前記動作方法は、前記電源管理装置が、前記充電池の残電力量を監視し、前記電源管理装置が、前記残電力量が予め定めた設定電力量以下になったなら、前記複数の通信制御サーバのいずれかに通信回線を介して接続される端末に通信制御サーバを介して確認信号を送信し、当該端末が使用されている場合に当該端末から送信される応答信号を通信制御サーバを介して受信し、前記通信制御サーバ毎に、当該通信制御サーバを介して受信した応答信号の数の多さを示す指標値を求めるとともに、前記グレード情報記憶部から当該通信制御サーバを含むリストを含むグレード情報を検索し、当該グレード情報から閾値を読み出して、当該指標値が当該閾値以下なら、前記電力供給を停止すべき通信制御サーバとして当該通信制御サーバを選択することを特徴とする。
【発明の効果】
【００２０】
本発明によれば、非常用電源設備からの電力供給を停止すべき通信制御サーバを選択でき、選択結果によっては生じる様々な問題の発生を防止できる。
【図面の簡単な説明】
【００２１】
【図１】第１〜第３の実施の形態に係る電力供給システムの概略構成を示す図である。
【図２】第１の実施の形態で使用される電源管理装置１の概略構成を示すブロック図である。
【図３】選択部１２の動作の流れを示すフローチャートである。
【図４】第２の実施の形態で使用される電源管理装置１Ａの概略構成を示すブロック図である。
【図５】第３の実施の形態で使用される電源管理装置１Ｂの概略構成を示すブロック図である。
【図６】選択部１１３の動作の流れを示すフローチャートである。
【図７】第３の実施の形態における制御の具体例を示す図である。
【発明を実施するための形態】
【００２２】
以下、本発明の実施の形態について図面を参照して説明する。
【００２３】
図１は、第１〜第３の実施の形態に係る電力供給システムの概略構成を示す図である。
電力供給システムは、第１の実施の形態で使用される電源管理装置１または第２の実施の形態で使用される電源管理装置１Ａまたは第３の実施の形態で使用される電源管理装置１Ｂと、充電池２１を有する非常用電源設備２とを備える。
【００２４】
非常用電源設備２は、通信システムの複数の通信制御サーバ３に対し、停電などの非常時に充電池２１から電力供給を行うべく、電力供給線を介して接続される。各通信制御サーバ３は、通信回線を介して複数の端末４に接続される。一部の通信制御サーバ３同士が通信回線を介して接続されていてもよい。
【００２５】
電源管理装置１等は、非常用電源設備２を制御すべく、制御回線を介して非常用電源設備２に接続される。電源管理装置１等は、各通信制御サーバ３を介して端末４に信号を送信し、端末４から信号を受信すべく、信号回線を介して各通信制御サーバ３に接続される。
【００２６】
［第１の実施の形態］
図２は、第１の実施の形態で使用される電源管理装置１の概略構成を示すブロック図である。
電源管理装置１は、充電池２１の残電力量を監視する監視部１１と、電力供給を停止すべき通信制御サーバを選択する選択部１２と、選択された通信制御サーバへの電力供給が停止するように非常用電源設備２を制御する制御部１３とを備える。
【００２７】
監視部１１は、充電池２１の残電力量が予め定めた設定電力量以下になったなら、選択部１２を動作させる。
選択部１２は、電力供給を停止すべき通信制御サーバを選択するために確認信号を送信し、確認信号に対して送信される応答信号を受信する。
【００２８】
図３は、選択部１２の動作の流れを示すフローチャートである。
選択部１２は、各端末４に通信制御サーバ３を介して確認信号を送信する（Ｓ１）。
端末４が使用されている場合、例えば、端末４が着信可能となっている場合や端末４で通話がなされている場合には、端末４から応答信号が送信されるので、選択部１２は、応答信号を通信制御サーバ３を介して受信する（Ｓ３）。
【００２９】
選択部１２は、一定期間を経て、全ての応答信号を受信したなら、通信制御サーバ３毎に処理を行う。
選択部１２は、未処理の通信制御サーバ３の１つを対象とし、該当の通信制御サーバ３を介して受信した応答信号の数の多さを示す指標値を計算する（Ｓ５）。指標値は、例えば、該当の通信制御サーバ３に接続された端末４の総数に対する応答信号の数の割合である。指標値は応答信号の数自体でもよい。
【００３０】
次に、選択部１２は、指標値が予め定めた閾値以下か否かを判定する（Ｓ７）。
選択部１２は、指標値が閾値以下なら（Ｓ７：ＹＥＳ）、電力供給を停止すべき通信制御サーバとして該当の通信制御サーバ３を選択する（Ｓ９）。
【００３１】
選択部１２は、指標値が閾値より高いなら（Ｓ７：ＮＯ）、または、ステップＳ９の後、全ての通信制御サーバ３について処理が終わったか否かを判定する（Ｓ１１）。
【００３２】
選択部１２は、全処理が終わってないなら（Ｓ１１：ＮＯ）、ステップＳ５に戻り、全処理が終わったなら（Ｓ１１：ＹＥＳ）、フローチャートの動作を終了する。
【００３３】
図２に戻り、制御部１３は、選択された通信制御サーバへの電力供給が停止するように非常用電源設備２を制御する。これにより、選択された通信制御サーバへの電力供給が停止する。なお、制御部１３の代わりに、保守者が非常用電源設備２を制御してもよい。その場合、制御部１３は不要である。以降の実施の形態でも同様である。
【００３４】
したがって、第１の実施の形態によれば、使用されてない端末４を多く接続した通信制御サーバ３への電力供給が停止し、その結果、使用中の多くの端末４が使用不可能になる問題の発生を防止できる。
【００３５】
［第２の実施の形態］
図４は、第２の実施の形態で使用される電源管理装置１Ａの概略構成を示すブロック図である。
電源管理装置１Ａは、通信制御サーバを介して提供されるサービスのグレード毎に当該グレードに対応する通信制御サーバのリストを含むグレード情報を記憶するグレード情報記憶部１０１と、充電池２１の残電力量を監視する監視部１０２と、予め定めたグレード以下のグレードに対応するグレード情報をグレード情報記憶部１０１から検索し、電力供給を停止すべき通信制御サーバとして当該グレード情報内のリストに含まれる通信制御サーバを選択する選択部１０３と、選択された通信制御サーバへの電力供給が停止するように非常用電源設備２を制御する制御部１３とを備える。図のリスト内のＡ、Ｂ、Ｃなどは、通信制御サーバの識別子を簡略化して示すものである。
【００３６】
グレード情報記憶部１０１は、例えば、サービスの重要度が高いグレード（高のグレード）に対応する通信制御サーバのリストを含むグレード情報と、サービスの重要度が低いグレード（低のグレード）に対応する通信制御サーバのリストを含むグレード情報とを記憶する。
【００３７】
高のグレードに対応するサービスとは、例えば、緊急通話（１１０番、１１９番など）を可能とするものである。また、例えば、特定のユーザグループに提供するサービスに対応するグレードを高のグレードとしてもよい。
また、グレードの数は３以上であってもよい。第３の実施の形態でも同様である。
【００３８】
監視部１０２は、充電池２１の残電力量が予め定めた設定電力量以下になったなら、選択部１０３を動作させる。
【００３９】
選択部１０３は、例えば、予め定めた低のグレード以下のグレードに対応するグレード情報をグレード情報記憶部１０１から検索し、電力供給を停止すべき通信制御サーバとして当該グレード情報内のリストに含まれる通信制御サーバ（図４ではＡ、Ｂ、Ｄに対応する通信制御サーバ）を選択する。
【００４０】
制御部１０４は、選択された通信制御サーバへの電力供給が停止するように非常用電源設備２を制御する。これにより、選択された通信制御サーバへの電力供給が停止する。
【００４１】
したがって、第２の実施の形態によれば、予め定めたグレード以下のサービスを提供するための通信制御サーバ３への電力供給が停止し、その結果、グレードの高いサービスの提供が不可能になる問題の発生を防止することができる。
【００４２】
［第３の実施の形態］
図５は、第３の実施の形態で使用される電源管理装置１Ｂの概略構成を示すブロック図である。
電源管理装置１Ｂは、通信制御サーバを介して提供されるサービスのグレード毎に当該グレードに対応する通信制御サーバのリストおよび当該グレードに適用すべき閾値を含むグレード情報を記憶するグレード情報記憶部１１１と、充電池２１の残電力量を監視する監視部１１２と、電力供給を停止すべき通信制御サーバを選択する選択部１１３と、選択された通信制御サーバへの電力供給が停止するように非常用電源設備２を制御する制御部１１４とを備える。
【００４３】
例えば、グレード情報記憶部１１１の少なくとも１つのグレード情報は、第１の閾値、ならびに、第１の閾値より高い第２の閾値を含む。例えば、低のグレードに対応するグレード情報は、第１の閾値（例えば２０％）と第２の閾値（例えば３０％）を含む。
【００４４】
監視部１１２は、充電池２１の残電力量が予め定めた設定電力量以下になったなら、選択部１１３を動作させる。
【００４５】
選択部１１３は、第１の実施の形態の選択部１２と同様に、電力供給を停止すべき通信制御サーバを選択するために確認信号を送信し、確認信号に対して送信される応答信号を受信する。
【００４６】
図６は、選択部１１３の動作の流れを示すフローチャートである。
選択部１１３は、第１の実施の形態の選択部１２と同様に、確認信号を送信し（Ｓ１）、応答信号を受信する（Ｓ３）。
【００４７】
選択部１１３は、一定期間を経て、全ての応答信号を受信したなら、通信制御サーバ３毎に処理を行う。
選択部１１３は、第１の実施の形態の選択部１２と同様に、該当の通信制御サーバについての指標値を計算する（Ｓ５）。
【００４８】
次に、選択部１１３は、グレード情報記憶部１１１から、該当の通信制御サーバを含むリストを含むグレード情報を検索する（Ｓ６）。
次に、選択部１１３は、グレード情報に第１の閾値と第２の閾値が含まれるか否かを判定する（Ｓ１１１）。
【００４９】
選択部１１３は、グレード情報に閾値としては１つだけが含まれるなら（Ｓ１１１：ＮＯ）、グレード情報から閾値を読み出し（Ｓ１１３）、ステップＳ７に進む。
【００５０】
一方、選択部１１３は、グレード情報に第１の閾値と第２の閾値が含まれるなら（Ｓ１１１：ＹＥＳ）、監視部１１２に残電力量を問い合わせ、前述の設定電力量より低く予め定められた第２の設定電力量より残電力量が高いか否かを判定する（Ｓ１１５）。
【００５１】
選択部１１３は、残電力量が第２の設定電力量より高いなら（Ｓ１１５：ＹＥＳ）、グレード情報から第１の閾値を読み出し（Ｓ１１７）、ステップＳ７に進む一方、残電力量が第２の設定電力量以下なら、当該グレード情報から第２の閾値を読み出し（Ｓ１１９）、ステップＳ７に進む。
【００５２】
以下、ステップＳ１１３で読み出された閾値、Ｓ１１７で読み出された第１の閾値、Ｓ１１９で読み出された第２の閾値を単に閾値という。
選択部１１３は、第１の実施の形態の選択部１２と同様に、指標値が閾値以下か否かを判定する（Ｓ７）。
【００５３】
選択部１１３は、指標値が閾値以下なら（Ｓ７：ＹＥＳ）、電力供給を停止すべき通信制御サーバとして該当の通信制御サーバ３を選択する（Ｓ９）。
選択部１１３は、指標値が閾値より高いなら（Ｓ７：ＮＯ）、または、ステップＳ９の後、全ての通信制御サーバ３について処理が終わったか否かを判定する（Ｓ１１）。
【００５４】
選択部１１３は、全処理が終わってないなら（Ｓ１１：ＮＯ）、ステップＳ５に戻り、全処理が終わったなら（Ｓ１１：ＹＥＳ）、フローチャートの動作を終了する。
【００５５】
図５に戻り、制御部１１４は、選択された通信制御サーバへの電力供給が停止するように非常用電源設備２を制御する。これにより、選択された通信制御サーバへの電力供給が停止する。
【００５６】
図７は、第３の実施の形態における制御の具体例を示す図である。
ここでは、低のグレードについて第１の閾値Ｌ１と第２の閾値Ｌ２が設定され、高のグレードについては１つの閾値Ｈが設定されていることとする。
【００５７】
図左側に示すように、充電池２１の残電力量ＲＢが設定電力量ＲＢａ以下であり且つ第２の設定電力量ＲＢｂより高い場合（ＲＢｂ＜ＲＢ≦ＲＢａ）においては以下の通りの制御となる。
【００５８】
低のグレードに対応する１つの通信制御サーバ１（通信制御サーバＡ）の指標値Ｒが０％なら、第１の閾値Ｌ１以下なので、通信制御サーバＡは電力供給を停止すべき通信制御サーバとして選択される（○）。
【００５９】
低のグレードに対応する１つの通信制御サーバ１（通信制御サーバＢ）の指標値Ｒが第１の閾値Ｌ１より高いなら、通信制御サーバＢは電力供給を停止すべき通信制御サーバとして選択されない（×）。
【００６０】
高のグレードに対応する１つの通信制御サーバ１（通信制御サーバＣ）の指標値Ｒが０％なら、閾値Ｈ以下なので、通信制御サーバＣは電力供給を停止すべき通信制御サーバとして選択される（○）。
【００６１】
低のグレードに対応する１つの通信制御サーバ１（通信制御サーバＤ）の指標値Ｒが第１の閾値Ｌ１より高いなら、通信制御サーバＤは電力供給を停止すべき通信制御サーバとして選択されない（×）。
【００６２】
高のグレードに対応する１つの通信制御サーバ１（通信制御サーバＥ）の指標値Ｒが閾値Ｈより高いので、通信制御サーバＥは電力供給を停止すべき通信制御サーバとして選択されない（×）。
【００６３】
高のグレードに対応する１つの通信制御サーバ１（通信制御サーバＦ）の指標値Ｒも閾値Ｈより高いので、通信制御サーバＦは電力供給を停止すべき通信制御サーバとして選択されない（×）。
【００６４】
一方、図右側に示すように、残電力量ＲＢが第２の設定電力量ＲＢｂ以下の場合（ＲＢ≦ＲＢｂ）においては以下の通りの制御となる。
高のグレードについては、ＲＢｂ＜ＲＢ≦ＲＢａの場合と同じである。
【００６５】
低のグレードに対応する１つの通信制御サーバ１（通信制御サーバＡ）の指標値Ｒが０％なら、第２の閾値Ｌ２以下なので、通信制御サーバＡは電力供給を停止すべき通信制御サーバとして選択される（○）。
【００６６】
低のグレードに対応する１つの通信制御サーバ１（通信制御サーバＢ）の指標値Ｒが第２の閾値Ｌ２より低いなら、通信制御サーバＢは電力供給を停止すべき通信制御サーバとして選択される（○）。
【００６７】
低のグレードに対応する１つの通信制御サーバ１（通信制御サーバＤ）の指標値Ｒが第２の閾値Ｌ２より高いなら、通信制御サーバＤは電力供給を停止すべき通信制御サーバとして選択されない（×）。
【００６８】
よって、ＲＢｂ＜ＲＢ≦ＲＢａの場合は、電力供給を停止すべき通信制御サーバとして通信制御サーバＡ、Ｃが選択されるのに対し、ＲＢ≦ＲＢｂの場合は、電力供給を停止すべき通信制御サーバとして通信制御サーバＡ、Ｂ、Ｃが選択されるので、後者の場合は、充電池２１の残電力量の低下をより一層軽減できる。
【００６９】
なお、第３の実施の形態では、設定電力量と第２の設定電力量の２つを定めたが、３以上とし、さらに細かな制御を行ってもよい。また、低のグレードについては、第１の閾値と第２の閾値を定めたが、３以上としてもよい。また、他のグレードについて複数の閾値を定めてもよい。
【００７０】
したがって、第３の実施の形態によれば、低いグレードに対応し且つ使用されてない端末４を多く接続した通信制御サーバ３への電力供給が停止し、その結果、使用中の多くの端末４が使用不可能になる問題、および、グレードの高いサービスの提供が不可能になる問題の発生を防止することができる。
【００７１】
また、上記の低のグレードのように、第１の閾値と第２の閾値を設けることで、残電力量が少ない場合は（ＲＢ≦ＲＢｂ）、残電力量が多い場合（ＲＢｂ＜ＲＢ≦ＲＢａ）よりも充電池２１の残電力量の低下を軽減できる。
【００７２】
なお、各実施の形態の電源管理装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７３】
１、１Ａ、１Ｂ  電源管理装置
２  非常用電源設備
３  通信制御サーバ
４  端末
１１、１０２、１１２  監視部
１２、１０３、１１３  選択部
１３、１０４、１１４  制御部
２１  充電池
１０１、１１１  グレード情報記憶部
【図１】
0006306525.tif 000002
【図２】
0006306525.tif 000003
【図３】
0006306525.tif 000004
【図４】
0006306525.tif 000005
【図５】
0006306525.tif 000006
【図６】
0006306525.tif 000007
【図７】
0006306525.tif 000008